(57)【要約】  アクティブマトリクス基板（１００Ａ）は、ＴＦＴ（２０）、第１方向に略平行な走査配線（１１）、第１方向に直交する第２方向に略平行な信号配線（１２）、ＴＦＴを覆う第１層間絶縁層（１６）、第１層間絶縁層上に設けられた下層電極（１７）、下層電極上に設けられた誘電体層（１８）および誘電体層を介して下層電極の少なくとも一部に重なる上層電極（１９）を備える。第１コンタクトホール（３１）は、第１層間絶縁層に形成された第１開口部（１６ａ）と、誘電体層に形成された第２開口部（１８ａ）を含む。第１開口部の、第１および第２方向のうちの一方の方向に沿った幅は、第２開口部の上記一方の方向に沿った幅よりも小さい。第２開口部の輪郭の一部は、第１開口部の輪郭の内側に位置しており、第２開口部の輪郭は、矩形状ではない。第２開口部のうちの第１開口部に重ならない部分の面積は、第２開口部の輪郭を矩形状と仮想した場合よりも小さい。
2014002834.tif 000002
【特許請求の範囲】
【請求項１】
基板と、
前記基板に支持され、半導体層、ゲート電極、ソース電極およびドレイン電極を有する薄膜トランジスタと、
第１方向に略平行に延設され、前記薄膜トランジスタの前記ゲート電極に電気的に接続された走査配線と、
前記第１方向に直交する第２方向に略平行に延設され、前記薄膜トランジスタの前記ソース電極に電気的に接続された信号配線と、
前記薄膜トランジスタを覆うように設けられた第１層間絶縁層と、
前記第１層間絶縁層上に設けられた下層電極と、
前記下層電極上に設けられた誘電体層と、
前記誘電体層上に設けられ、前記誘電体層を介して前記下層電極の少なくとも一部に重なる上層電極と、
を備え、
前記第１層間絶縁層および前記誘電体層には、前記ドレイン電極の一部を露出する第１コンタクトホールであって、前記ドレイン電極に前記上層電極を電気的に接続するための第１コンタクトホールが形成されており、
前記第１コンタクトホールは、前記第１層間絶縁層に形成された第１開口部と、前記誘電体層に形成された第２開口部とを含み、
前記第１開口部の、前記第１方向および前記第２方向のうちの一方の方向に沿った幅は、前記第２開口部の、前記一方の方向に沿った幅よりも小さく、
前記基板の法線方向から見たとき、
前記第２開口部の輪郭の一部が、前記第１開口部の輪郭の内側に位置しており、
前記第２開口部の輪郭は、矩形状ではなく、
前記第２開口部のうちの前記第１開口部に重ならない部分の面積は、前記第２開口部の輪郭を、前記第１方向に沿った幅および前記第２方向に沿った幅が前記第２開口部の輪郭と同じである矩形状と仮想した場合よりも小さいアクティブマトリクス基板。
【請求項２】
前記基板の法線方向から見たとき、前記第１開口部の輪郭は、矩形状である請求項１に記載のアクティブマトリクス基板。
【請求項３】
前記基板の法線方向から見たとき、前記第２開口部は、前記第１開口部に重なる第１の部分と、前記第１の部分から延び、前記第１開口部に重ならない複数の第２の部分とを有し、
前記複数の第２の部分は、前記第１の部分に対して前記一方の方向における一側に位置する少なくとも１つの第２の部分と、他側に位置する他の少なくとも１つの第２の部分とを含む請求項１または２に記載のアクティブマトリクス基板。
【請求項４】
前記複数の第２の部分は、４つの第２の部分であり、
前記４つの第２の部分のうちの２つは、前記第１の部分に対して前記一方の方向における一側に位置し、残りの２つは、他側に位置する請求項３に記載のアクティブマトリクス基板。
【請求項５】
前記基板の法線方向から見たとき、前記第２開口部の輪郭は、Ｈ字状である請求項１から４のいずれかに記載のアクティブマトリクス基板。
【請求項６】
前記複数の第２の部分は、２つの第２の部分であり、
前記２つの第２の部分のうちの１つは、前記第１の部分に対して前記一方の方向における一側に位置し、残りの１つは、他側に位置する請求項３に記載のアクティブマトリクス基板。
【請求項７】
前記基板の法線方向から見たとき、前記第２開口部の輪郭は、平行四辺形状である請求項１から３および６のいずれかに記載のアクティブマトリクス基板。
【請求項８】
前記基板の法線方向から見たとき、前記第２開口部の輪郭は、前記一方の方向に略平行な２つの辺であって、それぞれが部分的に前記第１開口部の輪郭の内側に位置している２つの辺を含む請求項１から７のいずれかに記載のアクティブマトリクス基板。
【請求項９】
前記基板の法線方向から見たとき、前記第２開口部の輪郭は、前記一方の方向に対して傾斜した２つの辺であって、それぞれが部分的に前記第１開口部の輪郭の内側に位置している２つの辺を含む請求項１から７のいずれかに記載のアクティブマトリクス基板。
【請求項１０】
前記第１開口部の、前記第１方向および前記第２方向のうちの他方の方向に沿った幅は、前記第２開口部の、前記他方の方向に沿った幅よりも大きい請求項１から９のいずれかに記載のアクティブマトリクス基板。
【請求項１１】
前記半導体層と前記ゲート電極との間に設けられたゲート絶縁層と、
前記ゲート電極または前記半導体層を覆うように設けられた第２層間絶縁層と、
をさらに備え、
前記ゲート絶縁層および前記第２層間絶縁層のうちの少なくとも前記第２層間絶縁層には、前記半導体層の一部を露出する第２コンタクトホールであって、前記半導体層に前記ドレイン電極を電気的に接続するための第２コンタクトホールが形成されており、
前記基板の法線方向から見たとき、前記第２コンタクトホールの少なくとも一部が、前記第１コンタクトホールに重なっている請求項１から１０のいずれかに記載のアクティブマトリクス基板。
【請求項１２】
前記上層電極および前記下層電極は、それぞれ透明な導電材料から形成されている請求項１から１１のいずれかに記載のアクティブマトリクス基板。
【請求項１３】
前記第１開口部の前記第１方向に沿った幅は、前記第２開口部の前記第１方向に沿った幅よりも小さい請求項１から１２のいずれかに記載のアクティブマトリクス基板。
【請求項１４】
前記薄膜トランジスタの前記半導体層として酸化物半導体が用いられている請求項１から１３のいずれかに記載のアクティブマトリクス基板。
【請求項１５】
前記酸化物半導体はＩｎ−Ｇａ−Ｚｎ−Ｏ系半導体である請求項１４に記載のアクティブマトリクス基板。
【請求項１６】
請求項１から１５のいずれかに記載のアクティブマトリクス基板と、
前記アクティブマトリクス基板に対向するように配置された対向基板と、
前記アクティブマトリクス基板および前記対向基板の間に設けられた液晶層と、
を備える液晶表示装置。
【請求項１７】
マトリクス状に配置された複数の画素を有し、
前記上層電極は、画素電極として機能する請求項１６に記載の液晶表示装置。
【請求項１８】
半導体層、ゲート電極、ソース電極およびドレイン電極を有する薄膜トランジスタと、
第１方向に略平行に延設され、前記薄膜トランジスタの前記ゲート電極に電気的に接続された走査配線と、
前記第１方向に直交する第２方向に略平行に延設され、前記薄膜トランジスタの前記ソース電極に電気的に接続された信号配線と、を備えるアクティブマトリクス基板の製造方法であって、
基板上に、前記薄膜トランジスタを形成する工程（Ａ）と、
前記薄膜トランジスタを覆う層間絶縁層であって、第１開口部を有する層間絶縁層を形成する工程（Ｂ）と、
前記層間絶縁層上に、下層電極を形成する工程（Ｃ）と、
前記下層電極上に、第２開口部を有する誘電体層を形成する工程（Ｄ）と、
前記誘電体層上に、前記誘電体層を介して前記下層電極の少なくとも一部に重なる上層電極であって、前記第１開口部および前記第２開口部を含むコンタクトホールにおいて前記ドレイン電極に電気的に接続された上層電極を形成する工程（Ｅ）と、
を包含し、
前記工程（Ｂ）および前記工程（Ｄ）は、前記第１開口部の、前記第１方向および前記第２方向のうちの一方の方向に沿った幅が、前記第２開口部の、前記一方の方向に沿った幅よりも小さく、且つ、前記基板の法線方向から見たとき、前記第２開口部の輪郭の一部が、前記第１開口部の輪郭の内側に位置するように実行され、
前記工程（Ｂ）および前記工程（Ｄ）は、さらに、前記基板の法線方向から見たとき、前記第２開口部の輪郭が矩形状ではなく、前記第２開口部のうちの前記第１開口部に重ならない部分の面積が、前記第２開口部の輪郭を、前記第１方向に沿った幅および前記第２方向に沿った幅が前記第２開口部の輪郭と同じである矩形状と仮想した場合よりも小さくなるように実行されるアクティブマトリクス基板の製造方法。
【発明の詳細な説明】
【技術分野】
【０００１】
本発明は、アクティブマトリクス基板に関し、特に、上層電極および下層電極を含む２層構造電極を有するアクティブマトリクス基板に関する。また、本発明は、そのようなアクティブマトリクス基板を備えた液晶表示装置や、そのようなアクティブマトリクス基板の製造方法に関する。
【背景技術】
【０００２】
液晶表示装置は、薄型で低消費電力であるという特徴を有し、様々な分野に広く用いられている。特に、アクティブマトリクス型の液晶表示装置は、高いコントラスト比および優れた応答特性を有し、高性能であるので、テレビやモニタ、ノートパソコンに用いられており、近年その市場規模が拡大している。【０００３】
アクティブマトリクス型の液晶表示装置は、一般に、画素ごとにスイッチング素子として薄膜トランジスタ（ＴＦＴ）が形成されたアクティブマトリクス基板（「ＴＦＴ基板」と呼ばれることもある）と、カラーフィルタなどが形成された対向基板（「カラーフィルタ基板」と呼ばれることもある）と、アクティブマトリクス基板および対向基板の間に設けられた液晶層とを備えている。薄膜トランジスタに電気的に接続された画素電極と、共通電極との電位差に応じた電界が液晶層に印加され、この電界によって液晶層中の液晶分子の配向状態が変化することにより、各画素の光透過率を制御して表示を行うことができる。【０００４】
アクティブマトリクス型の液晶表示装置には、その用途に応じて様々な表示モードが提案され、採用されている。表示モードとしては、ＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどが挙げられる。【０００５】
一部の表示モードでは、アクティブマトリクス基板に「２層電極構造」が採用される。２層電極構造とは、薄膜トランジスタを覆う層間絶縁層上に、下層電極と、下層電極を覆う誘電体層と、誘電体層を介して下層電極に重なる上層電極とが設けられている構造である。例えば、一般的なＦＦＳモードでは、特許文献１に開示されているように、共通電極が下層電極として設けられ、複数のスリットが形成された画素電極が上層電極として設けられる。共通電極および画素電極は、いずれも透明な導電材料から形成されている。なお、特許文献２に開示されているように、ＦＦＳモードにおいて、画素電極が下層電極として設けられ、複数のスリットが形成された共通電極が上層電極として設けられる構成も知られている。【０００６】
また、後に詳述する理由から、表示モードを問わず（つまりＶＡモードなどにおいても）、２層電極構造を採用することが考えられる。【０００７】
上層電極が画素電極である２層電極構造を採用する場合、画素電極と、薄膜トランジスタのドレイン電極とを電気的に接続するために、ドレイン電極の一部を露出させるための開口部を、薄膜トランジスタを覆う層間絶縁層と、電極間に位置する誘電体層との両方に形成する必要がある。層間絶縁層の開口部と誘電体層の開口部とを含むコンタクトホール内でドレイン電極に接するように画素電極を形成することにより、画素電極をドレイン電極に電気的に接続することができる。【０００８】
この場合、誘電体層の開口部を形成する際のエッチングにより、層間絶縁層の開口部のテーパー部（傾斜側面）も掘られてしまい、コンタクトホールの側面形状が急峻化してしまう。そのため、相対的に厚さの小さい画素電極が、コンタクトホール内で断線することがある（「段切れ」と呼ばれる）。そこで、画素電極の段切れに伴う接続不良を回避するために、誘電体層の開口部は、基板の法線方向から見たときにその全体が層間絶縁層の開口部の内側に位置するように形成される。
【先行技術文献】
【特許文献】
【０００９】
【特許文献１】特開２００２−１８２２３０号公報
【特許文献２】特開２０１１−５３４４３号公報
【発明の概要】
【発明が解決しようとする課題】
【００１０】
しかしながら、誘電体層のエッチング膜厚は大きいので、誘電体層の開口部は、基板面内方向の仕上がり径が大きくなりやすい。そのため、誘電体層の開口部をその内側に含む、層間絶縁層の開口部についても、必然的にその径を大きくする必要がある。【００１１】
一方、ドレイン電極は、画素電極への電気的な接続という役割だけでなく、層間絶縁層の開口部のテーパー部近傍における、液晶分子の配向が乱れた領域を遮光する役割も担っている。そのため、層間絶縁層の開口部の径が拡大すると、ドレイン電極のサイズも拡大させる必要がある。【００１２】
ドレイン電極は、典型的には信号配線と同層である（つまり同じ導電膜をパターニングすることによって形成されている）。従って、精細度の高い液晶表示装置において、水平方向の画素ピッチと垂直方向の画素ピッチとの比（Ｈ／Ｖ比）が１：３である標準的な画素構成を採用すると、ドレイン電極のサイズが上述した理由により大きい場合、水平方向の同層間スペースを十分に確保することができなくなる。そのため、精細度に対する制限が発生し、高い精細度での製造が困難になる。具体的には、画素密度が３７０ｐｐｉ以上での製造が、困難になってしまう。【００１３】
本発明は、上記問題に鑑みてなされたものであり、その目的は、２層電極構造を有しているにもかかわらず従来よりも高い精細度で製造し得るアクティブマトリクス基板を提供することにある。
【課題を解決するための手段】
【００１４】
本発明の実施形態におけるアクティブマトリクス基板は、基板と、前記基板に支持され、半導体層、ゲート電極、ソース電極およびドレイン電極を有する薄膜トランジスタと、第１方向に略平行に延設され、前記薄膜トランジスタの前記ゲート電極に電気的に接続された走査配線と、前記第１方向に直交する第２方向に略平行に延設され、前記薄膜トランジスタの前記ソース電極に電気的に接続された信号配線と、前記薄膜トランジスタを覆うように設けられた第１層間絶縁層と、前記第１層間絶縁層上に設けられた下層電極と、前記下層電極上に設けられた誘電体層と、前記誘電体層上に設けられ、前記誘電体層を介して前記下層電極の少なくとも一部に重なる上層電極と、を備え、前記第１層間絶縁層および前記誘電体層には、前記ドレイン電極の一部を露出する第１コンタクトホールであって、前記ドレイン電極に前記上層電極を電気的に接続するための第１コンタクトホールが形成されており、前記第１コンタクトホールは、前記第１層間絶縁層に形成された第１開口部と、前記誘電体層に形成された第２開口部とを含み、前記第１開口部の、前記第１方向および前記第２方向のうちの一方の方向に沿った幅は、前記第２開口部の、前記一方の方向に沿った幅よりも小さく、前記基板の法線方向から見たとき、前記第２開口部の輪郭の一部が、前記第１開口部の輪郭の内側に位置しており、前記第２開口部の輪郭は、矩形状ではなく、前記第２開口部のうちの前記第１開口部に重ならない部分の面積は、前記第２開口部の輪郭を、前記第１方向に沿った幅および前記第２方向に沿った幅が前記第２開口部の輪郭と同じである矩形状と仮想した場合よりも小さい。【００１５】
ある実施形態において、前記基板の法線方向から見たとき、前記第１開口部の輪郭は、矩形状である。【００１６】
ある実施形態において、前記基板の法線方向から見たとき、前記第２開口部は、前記第１開口部に重なる第１の部分と、前記第１の部分から延び、前記第１開口部に重ならない複数の第２の部分とを有し、前記複数の第２の部分は、前記第１の部分に対して前記一方の方向における一側に位置する少なくとも１つの第２の部分と、他側に位置する他の少なくとも１つの第２の部分とを含む。【００１７】
ある実施形態において、前記複数の第２の部分は、４つの第２の部分であり、前記４つの第２の部分のうちの２つは、前記第１の部分に対して前記一方の方向における一側に位置し、残りの２つは、他側に位置する。【００１８】
ある実施形態において、前記基板の法線方向から見たとき、前記第２開口部の輪郭は、Ｈ字状である。【００１９】
ある実施形態において、前記複数の第２の部分は、２つの第２の部分であり、前記２つの第２の部分のうちの１つは、前記第１の部分に対して前記一方の方向における一側に位置し、残りの１つは、他側に位置する。【００２０】
ある実施形態において、前記基板の法線方向から見たとき、前記第２開口部の輪郭は、平行四辺形状である。【００２１】
ある実施形態において、前記基板の法線方向から見たとき、前記第２開口部の輪郭は、前記一方の方向に略平行な２つの辺であって、それぞれが部分的に前記第１開口部の輪郭の内側に位置している２つの辺を含む。【００２２】
ある実施形態において、前記基板の法線方向から見たとき、前記第２開口部の輪郭は、前記一方の方向に対して傾斜した２つの辺であって、それぞれが部分的に前記第１開口部の輪郭の内側に位置している２つの辺を含む。【００２３】
ある実施形態において、前記第１開口部の、前記第１方向および前記第２方向のうちの他方の方向に沿った幅は、前記第２開口部の、前記他方の方向に沿った幅よりも大きい。【００２４】
ある実施形態において、前記第１コンタクトホール内で、前記上層電極が前記ドレイン電極と接している。【００２５】
ある実施形態において、上述した構成を有するアクティブマトリクス基板は、前記半導体層と前記ゲート電極との間に設けられたゲート絶縁層と、前記ゲート電極または前記半導体層を覆うように設けられた第２層間絶縁層と、をさらに備え、前記ゲート絶縁層および前記第２層間絶縁層のうちの少なくとも前記第２層間絶縁層には、前記半導体層の一部を露出する第２コンタクトホールであって、前記半導体層に前記ドレイン電極を電気的に接続するための第２コンタクトホールが形成されており、前記基板の法線方向から見たとき、前記第２コンタクトホールの少なくとも一部が、前記第１コンタクトホールに重なっている。【００２６】
ある実施形態において、前記基板の法線方向から見たとき、前記第１コンタクトホールの中心と、前記第２コンタクトホールの中心とがずれている。【００２７】
ある実施形態において、前記上層電極および前記下層電極は、それぞれ透明な導電材料から形成されている。【００２８】
ある実施形態において、前記第１開口部の前記第１方向に沿った幅は、前記第２開口部の前記第１方向に沿った幅よりも小さい。【００２９】
ある実施形態において、前記薄膜トランジスタの前記半導体層として酸化物半導体が用いられている。【００３０】
ある実施形態において、前記酸化物半導体はＩｎ−Ｇａ−Ｚｎ−Ｏ系半導体である。【００３１】
本発明の実施形態における液晶表示装置は、上述した構成を有するアクティブマトリクス基板と、前記アクティブマトリクス基板に対向するように配置された対向基板と、前記アクティブマトリクス基板および前記対向基板の間に設けられた液晶層と、を備える。【００３２】
ある実施形態において、上述した構成を有する液晶表示装置は、マトリクス状に配置された複数の画素を有し、前記上層電極は、画素電極として機能する。【００３３】
ある実施形態において、前記上層電極は、複数のスリットを有する。【００３４】
ある実施形態において、前記下層電極、前記誘電体層および前記上層電極は、補助容量を構成する。【００３５】
本発明の実施形態におけるアクティブマトリクス基板の製造方法は、半導体層、ゲート電極、ソース電極およびドレイン電極を有する薄膜トランジスタと、第１方向に略平行に延設され、前記薄膜トランジスタの前記ゲート電極に電気的に接続された走査配線と、前記第１方向に直交する第２方向に略平行に延設され、前記薄膜トランジスタの前記ソース電極に電気的に接続された信号配線と、を備えるアクティブマトリクス基板の製造方法であって、基板上に、前記薄膜トランジスタを形成する工程（Ａ）と、前記薄膜トランジスタを覆う層間絶縁層であって、第１開口部を有する層間絶縁層を形成する工程（Ｂ）と、前記層間絶縁層上に、下層電極を形成する工程（Ｃ）と、前記下層電極上に、第２開口部を有する誘電体層を形成する工程（Ｄ）と、前記誘電体層上に、前記誘電体層を介して前記下層電極の少なくとも一部に重なる上層電極であって、前記第１開口部および前記第２開口部を含むコンタクトホールにおいて前記ドレイン電極に電気的に接続された上層電極を形成する工程（Ｅ）と、を包含し、前記工程（Ｂ）および前記工程（Ｄ）は、前記第１開口部の、前記第１方向および前記第２方向のうちの一方の方向に沿った幅が、前記第２開口部の、前記一方の方向に沿った幅よりも小さく、且つ、前記基板の法線方向から見たとき、前記第２開口部の輪郭の一部が、前記第１開口部の輪郭の内側に位置するように実行され、前記工程（Ｂ）および前記工程（Ｄ）は、さらに、前記基板の法線方向から見たとき、前記第２開口部の輪郭が矩形状ではなく、前記第２開口部のうちの前記第１開口部に重ならない部分の面積が、前記第２開口部の輪郭を、前記第１方向に沿った幅および前記第２方向に沿った幅が前記第２開口部の輪郭と同じである矩形状と仮想した場合よりも小さくなるように実行される。
【発明の効果】
【００３６】
本発明の実施形態によると、２層電極構造を有しているにもかかわらず従来よりも高い精細度で製造し得るアクティブマトリクス基板を提供することができる。
【図面の簡単な説明】
【００３７】
【図１】本発明の実施形態におけるアクティブマトリクス基板１００Ａを模式的に示す図であり、１つの画素に対応した領域を示す平面図である。
【図２】本発明の実施形態におけるアクティブマトリクス基板１００Ａを模式的に示す図であり、（ａ）、（ｂ）および（ｃ）は、それぞれ図１中の２Ａ−２Ａ’線、２Ｂ−２Ｂ’線および２Ｃ−２Ｃ’線に沿った断面図である。
【図３】（ａ）および（ｂ）は、本発明の実施形態におけるアクティブマトリクス基板１００Ａの第１開口部１６ａおよび第２開口部１８ａの近傍を拡大して示す図である。
【図４】比較例１のアクティブマトリクス基板１０００を模式的に示す図であり、１つの画素に対応した領域を示す平面図である。
【図５】比較例１のアクティブマトリクス基板１０００を模式的に示す図であり、図４中の５Ａ−５Ａ’線に沿った断面図である。
【図６】比較例２のアクティブマトリクス基板１１００を模式的に示す図であり、１つの画素に対応した領域を示す平面図である。
【図７】比較例２のアクティブマトリクス基板１１００を模式的に示す図であり、（ａ）および（ｂ）は、それぞれ図６中の７Ａ−７Ａ’線および７Ｂ−７Ｂ’線に沿った断面図である。
【図８】比較例２のアクティブマトリクス基板１１００において光漏れが発生し得る領域Ｒ１を示す図である。
【図９】（ａ）は、第１の部分１８ａ１のみを有する第２開口部１８ａを示す図であり、（ｂ）は、（ａ）に示す第２開口部１８ａがアライメントずれによって本来の位置からずれた場合を示す図であり、（ｃ）は、そのようなずれによって第２開口部１８ａが第１開口部１６ａと重ならなくなった領域Ｒ２の断面構造を示す図（（ｂ）中の９Ｃ−９Ｃ’線に沿った断面図）である。
【図１０】（ａ）および（ｂ）は、本発明の実施形態におけるアクティブマトリクス基板１００Ａの第２開口部１８ａが、アライメントずれによって本来の位置からずれた場合を示す図である。
【図１１】本発明の実施形態におけるアクティブマトリクス基板１００Ａの製造方法を説明するための工程断面図であり、（ａ１）〜（ａ３）は、図１中の２Ａ−２Ａ’線に沿った断面に対応し、（ｂ１）〜（ｂ３）は、図１中の２Ｂ−２Ｂ’線に沿った断面に対応し、（ｃ１）〜（ｃ３）は、図１中の２Ｃ−２Ｃ’線に沿った断面に対応する。
【図１２】本発明の実施形態におけるアクティブマトリクス基板１００Ａの製造方法を説明するための工程断面図であり、（ａ１）および（ａ２）は、図１中の２Ａ−２Ａ’線に沿った断面に対応し、（ｂ１）および（ｂ２）は、図１中の２Ｂ−２Ｂ’線に沿った断面に対応し、（ｃ１）および（ｃ２）は、図１中の２Ｃ−２Ｃ’線に沿った断面に対応する。
【図１３】本発明の実施形態におけるアクティブマトリクス基板１００Ａの製造方法を説明するための工程断面図であり、（ａ１）および（ａ２）は、図１中の２Ａ−２Ａ’線に沿った断面に対応し、（ｂ１）および（ｂ２）は、図１中の２Ｂ−２Ｂ’線に沿った断面に対応し、（ｃ１）および（ｃ２）は、図１中の２Ｃ−２Ｃ’線に沿った断面に対応する。
【図１４】本発明の実施形態におけるアクティブマトリクス基板１００Ａの製造方法を説明するための工程断面図であり、（ａ１）および（ａ２）は、図１中の２Ａ−２Ａ’線に沿った断面に対応し、（ｂ１）および（ｂ２）は、図１中の２Ｂ−２Ｂ’線に沿った断面に対応し、（ｃ１）および（ｃ２）は、図１中の２Ｃ−２Ｃ’線に沿った断面に対応する。
【図１５】本発明の実施形態におけるアクティブマトリクス基板１００Ｂを模式的に示す図であり、１つの画素に対応した領域を示す平面図である。
【図１６】本発明の実施形態におけるアクティブマトリクス基板１００Ｂを模式的に示す図であり、（ａ）、（ｂ）および（ｃ）は、それぞれ図１５中の１６Ａ−１６Ａ’線、１６Ｂ−１６Ｂ’線および１６Ｃ−１６Ｃ’線に沿った断面図である。
【図１７】（ａ）および（ｂ）は、本発明の実施形態におけるアクティブマトリクス基板１００Ｂの第１開口部１６ａおよび第２開口部１８ａの近傍を拡大して示す図である。
【図１８】本発明の実施形態におけるアクティブマトリクス基板１００Ｂにおいて、アライメントずれによって第２開口部１８ａとドレイン電極２４とが本来の位置関係からずれた場合を示す図である。
【図１９】本発明の実施形態におけるアクティブマトリクス基板１００Ｃを模式的に示す図であり、１つの画素に対応した領域を示す平面図である。
【図２０】本発明の実施形態におけるアクティブマトリクス基板１００Ｃを模式的に示す図であり、（ａ）、（ｂ）および（ｃ）は、それぞれ図１９中の２０Ａ−２０Ａ’線、２０Ｂ−２０Ｂ’線および２０Ｃ−２０Ｃ’線に沿った断面図である。
【図２１】（ａ）および（ｂ）は、本発明の実施形態におけるアクティブマトリクス基板１００Ｃの第１開口部１６ａおよび第２開口部１８ａの近傍を拡大して示す図である。
【図２２】本発明の実施形態におけるアクティブマトリクス基板１００Ｃにおいて、アライメントずれによって第２開口部１８ａとドレイン電極２４とが本来の位置関係からずれた場合を示す図である。
【図２３】本発明の実施形態におけるアクティブマトリクス基板１００Ｄを模式的に示す図であり、１つの画素に対応した領域を示す平面図である。
【図２４】本発明の実施形態におけるアクティブマトリクス基板１００Ｄを模式的に示す図であり、（ａ）および（ｂ）は、それぞれ図２３中の２４Ａ−２４Ａ’線および２４Ｂ−２４Ｂ’線に沿った断面図である。
【図２５】（ａ）および（ｂ）は、本発明の実施形態におけるアクティブマトリクス基板１００Ｄの第１開口部１６ａおよび第２開口部１８ａの近傍を拡大して示す図である。
【図２６】本発明の実施形態におけるアクティブマトリクス基板１００Ｄにおいて、アライメントずれによって第２開口部１８ａとドレイン電極２４とが本来の位置関係からずれた場合を示す図である。
【図２７】本発明の実施形態におけるアクティブマトリクス基板１００Ｅを模式的に示す図であり、１つの画素に対応した領域を示す平面図である。
【図２８】本発明の実施形態におけるアクティブマトリクス基板１００Ｅを模式的に示す図であり、（ａ）、（ｂ）および（ｃ）は、それぞれ図２７中の２８Ａ−２８Ａ’線、２８Ｂ−２８Ｂ’線および２８Ｃ−２８Ｃ’線に沿った断面図である。
【図２９】本発明の実施形態におけるアクティブマトリクス基板１００Ａ〜１００Ｅが用いられ得る液晶表示装置２００を模式的に示す断面図である。
【図３０】液晶表示装置２００にＶＡモードを採用した場合の画素構造の例を示す図であり、１つの画素に対応した領域を示す平面図である。
【図３１】液晶表示装置２００にＶＡモードを採用した場合の画素構造の他の例を示す図であり、１つの画素に対応した領域を示す平面図である。
【図３２】液晶表示装置２００にＶＡモードを採用した場合の画素構造のさらに他の例を示す図であり、１つの画素に対応した領域を示す平面図である。
【図３３】液晶表示装置２００にＶＡモードを採用した場合の画素構造のさらに他の例を示す図であり、１つの画素に対応した領域を示す平面図である。
【図３４】液晶表示装置２００にＦＦＳモードを採用した場合の画素構造の例を示す図であり、１つの画素に対応した領域を示す平面図である。
【図３５】液晶表示装置２００にＦＦＳモードを採用した場合の画素構造の他の例を示す図であり、１つの画素に対応した領域を示す平面図である。
【発明を実施するための形態】
【００３８】
以下、図面を参照しながら本発明の実施形態を説明する。なお、本発明は以下の実施形態に限定されるものではない。
【００３９】
（実施形態１）
図１および図２に、本実施形態におけるアクティブマトリクス基板１００Ａを示す。図１は、アクティブマトリクス基板１００Ａを模式的に示す平面図である。図２（ａ）、（ｂ）および（ｃ）は、それぞれ図１中の２Ａ−２Ａ’線、２Ｂ−２Ｂ’線および２Ｃ−２Ｃ’に沿った断面図である。
【００４０】
アクティブマトリクス基板１００Ａは、ＶＡモードで表示を行う液晶表示装置に用いられる。液晶表示装置は、マトリクス状に配置された複数の画素を有しており、図１は、液晶表示装置の１つの画素に対応した領域を示している。
【００４１】
アクティブマトリクス基板１００Ａは、図１および図２（ａ）〜（ｃ）に示すように、基板１０と、薄膜トランジスタ（ＴＦＴ）２０と、走査配線１１と、信号配線１２とを備える。
【００４２】
基板１０は、透明で絶縁性を有する。基板１０は、典型的にはガラス基板である。
【００４３】
ＴＦＴ２０は、基板１０に支持されている。ＴＦＴ２０は、半導体層２１、ゲート電極２２、ソース電極２３およびドレイン電極２４を有する。本実施形態におけるＴＦＴ２０は、トップゲート型のＴＦＴである。また、ＴＦＴ２０は、ゲートを２つ有する（つまりゲート電極２２が２つ設けられた）、いわゆるダブルゲート構造を有する。
【００４４】
走査配線（「ゲートバスライン」と呼ばれることもある）１１は、ある方向（第１方向）に略平行に延設されている。本実施形態では、第１方向は、液晶表示装置の表示面における水平方向である。走査配線１１は、ＴＦＴ２０のゲート電極２２に電気的に接続されている。
【００４５】
信号配線（「ソースバスライン」と呼ばれることもある）１２は、第１方向に直交する方向（第２方向）に略平行に延設されている。本実施形態では、第２方向は、液晶表示装置の表示面における垂直方向である。信号配線１２は、ＴＦＴ２０のソース電極２３に電気的に接続されている。
【００４６】
基板１０の表面には、ベースコート層１３が形成されており、ベースコート層１３上にＴＦＴ２０の半導体層２１が設けられている。半導体層２１の材料としては、公知の種々の半導体材料を用いることができ、例えば、アモルファスシリコン、多結晶シリコン、連続粒界結晶シリコン（ＣＧＳ：Continuous Grain Silicon）などを用いることができる。また、Ｉｎ−Ｇａ−Ｚｎ−Ｏ系半導体などの酸化物半導体を用いてもよい。
【００４７】
半導体層２１を覆うように、ゲート絶縁層１４が形成されており、ゲート絶縁層１４上に走査配線１１およびゲート電極２２が設けられている。つまり、ゲート絶縁層１４は、半導体層２１とゲート電極２２との間に設けられている。本実施形態では、走査配線１１の、半導体層２１に重なる部分が、ゲート電極２２として機能する。
【００４８】
走査配線１１やゲート電極２２を覆うように、層間絶縁層１５が設けられており、層間絶縁層１５上に、信号配線１２、ソース電極２３およびドレイン電極２４が設けられている。ゲート絶縁層１４および層間絶縁層１５には、半導体層２１の一部を露出するコンタクトホール３２および３３が形成されている。前者のコンタクトホール３２は、半導体層２１にドレイン電極２４を電気的に接続するためのものである。本実施形態では、コンタクトホール３２内でドレイン電極２４が半導体層２１に接していることにより、半導体層２１とドレイン電極２４とが互いに電気的に接続されている。後者のコンタクトホール３３は、半導体層２１にソース電極２３を電気的に接続するためのものである。本実施形態では、コンタクトホール３３内でソース電極２３が半導体層２１に接していることにより、半導体層２１とソース電極２３とが互いに電気的に接続されている。
【００４９】
アクティブマトリクス基板１００Ａは、図１および図２（ａ）〜（ｃ）に示すように、層間絶縁層１６と、下層電極１７と、誘電体層１８と、上層電極１９とをさらに備える。
【００５０】
層間絶縁層１６は、ＴＦＴ２０を覆うように設けられている。より具体的には、層間絶縁層１６は、信号配線１２やソース電極２３、ドレイン電極２４などの上に形成されている。以下では、相対的に上側に位置する層間絶縁層１６を「第１層間絶縁層」と呼び、相対的に下側に位置する層間絶縁層１５を「第２層間絶縁層」と呼ぶ。
【００５１】
下層電極１７は、第１層間絶縁層１６上に設けられている。下層電極１７は、すべての画素にわたって連続するように形成されている。ただし、下層電極１７は、後述するコンタクトホール３１近傍には形成されていない。
【００５２】
誘電体層１８は、下層電極１７上に設けられている。
【００５３】
上層電極１９は、誘電体層１８上に設けられている。上層電極１９は、誘電体層１８を介して下層電極１７の少なくとも一部に重なる。上層電極１９は、各画素ごとに独立に（分離して）形成されている。本実施形態では、上層電極１９は、各画素の略全体を占めており、スリットや開口部が形成されていない、いわゆるべた電極である。また、上層電極１９は、ＴＦＴ２０のドレイン電極２４に電気的に接続されており、ＴＦＴ２０を介して信号配線１１から表示信号電圧を供給される。つまり、上層電極１９は、画素電極として機能する。
【００５４】
これに対し、下層電極１７は、補助容量電圧（Ｃｓ電圧）を供給され、補助容量配線および補助容量電極として機能する。つまり、下層電極１７および上層電極１９と、これらの間に位置する誘電体層１８とは、補助容量を構成する。画素電極として機能する上層電極１９と補助容量電極として機能する下層電極１７とは、それぞれ透明な導電材料（例えばＩＴＯ）から形成されている。
【００５５】
第１層間絶縁層１６および誘電体層１８には、ドレイン電極２４の一部を露出するコンタクトホール３１が形成されている。このコンタクトホール３１は、ドレイン電極２４に上層電極１９を電気的に接続するためのものである。本実施形態では、コンタクトホール３１内で上層電極１９がドレイン電極２４と接していることにより、ドレイン電極２４と上層電極１９とが互いに電気的に接続されている。
【００５６】
以下では、ドレイン電極２４に上層電極１９を電気的に接続するためのコンタクトホール３１を「第１コンタクトホール」と呼ぶ。これに対し、半導体層２１にドレイン電極２４を電気的に接続するためのコンタクトホール３２を「第２コンタクトホール」と呼び、半導体層２１にソース電極２３を電気的に接続するためのコンタクトホール３３を「第３コンタクトホール」と呼ぶ。
【００５７】
第１コンタクトホール３１は、第１層間絶縁層１６に形成された第１開口部１６ａと、誘電体層１８に形成された第２開口部１８ａとを含んでいる。図１に示されているように、第１開口部１６ａの水平方向（第１方向）に沿った幅Ｗ１Hは、第２開口部１８ａの水平方向に沿った幅Ｗ２Hよりも小さい。また、第１開口部１６ａの垂直方向（第２方向）に沿った幅Ｗ１Vは、第２開口部１８ａの垂直方向に沿った幅Ｗ２Vよりも大きい。
【００５８】
さらに、基板１０の法線方向から見たとき、第２開口部１８ａの輪郭の一部が、第１開口部１６ａの輪郭の内側に位置している。より具体的には、第２開口部１８ａの輪郭は、水平方向に略平行な２つの辺であって、それぞれが部分的に第１開口部１６ａの輪郭の内側に位置している２つの辺（上辺および下辺）を含んでいる。このように、第２開口部１８ａの輪郭と、第１開口部１６ａの輪郭とは交差している。
【００５９】
ここで、図３（ａ）および（ｂ）を参照しながら、第１開口部１６ａおよび第２開口部１８ａの形状・配置をより詳しく説明する。図３（ａ）および（ｂ）は、第１開口部１６ａおよび第２開口部１８ａの近傍を拡大して示す図である。図３（ａ）では、第１開口部１６ａの輪郭を実線で示し、第２開口部１８ａの輪郭を破線で示している。これに対し、図３（ｂ）では、第１開口部１６ａの輪郭を破線で示し、第２開口部１８ａの輪郭を実線で示している。
【００６０】
基板１０の法線方向から見たとき、第１開口部１６ａの輪郭は、図３（ａ）に示すように、矩形状である。これに対し、第２開口部１８ａの輪郭は、図３（ｂ）に示すように、矩形状ではない。
【００６１】
第２開口部１８ａは、第１開口部１６ａに重なる第１の部分１８ａ１と、第１の部分１８ａ１から延び、第１開口部１６ａに重ならない複数の第２の部分１８ａ２とを有する。本実施形態では、第２開口部１８ａは、４つの第２の部分１８ａ２を有する。４つの第２の部分１８ａ２のうちの２つは、第１の部分１８ａ１に対して水平方向（第１方向）における一側（左側）に位置し、残りの２つは、他側（右側）に位置する。より具体的には、前者の２つの第２の部分１８ａ２は、第１の部分１８ａ１の左上および左下から延びており、後者の２つの第２の部分１８ａ２は、第１の部分１８ａ１の右上および右下から延びている。
【００６２】
従って、第２開口部１８ａの輪郭は、Ｈ字状である。そのため、第２開口部１８ａは、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである矩形状と仮想した場合よりも小さくなるように形成されている、といえる。
【００６３】
本実施形態におけるアクティブマトリクス基板１００Ａでは、第１層間絶縁層１６の第１開口部１６ａと、誘電体層１８の第２開口部１８ａとが、上述したような形状・配置で形成されていることにより、製造可能な精細度を向上させることができ、従来よりも高い精細度での製造が可能となる。以下、この理由を、比較例を参照しながら説明する。
【００６４】
図４および図５に、比較例１のアクティブマトリクス基板１０００を示す。図４は、アクティブマトリクス基板１０００を模式的に示す平面図であり、図５は、図４中の５Ａ−５Ａ’線に沿った断面図である。
【００６５】
比較例１のアクティブマトリクス基板１０００では、第１層間絶縁層１６の第１開口部１６ａおよび誘電体層１８の第２開口部１８ａの形状・配置が、本実施形態におけるアクティブマトリクス基板１００Ａの第１開口部１６ａおよび第２開口部１８ａの形状・配置と異なっている。
【００６６】
アクティブマトリクス基板１０００では、上層電極１９の段切れに伴う接続不良を回避するために、図４および図５に示すように、誘電体層１８の第２開口部１８ａは、基板１０の法線方向から見たときにその全体が第１層間絶縁層１６の第１開口部１６ａの内側に位置するように形成されている。つまり、第２開口部１８ａの輪郭の全部が、第１開口部１６ａの輪郭の内側に位置している。従って、第１開口部１６ａの垂直方向（第２方向）に沿った幅Ｗ１Vが、第２開口部１８ａの垂直方向に沿った幅Ｗ２Vよりも大きいだけでなく、第１開口部１６ａの水平方向（第１方向）に沿った幅Ｗ１Hも、第２開口部１８ａの水平方向に沿った幅Ｗ２Hよりも大きい。
【００６７】
そのため、第１開口部１６ａのテーパー部近傍を適切な遮光幅（第１開口部１６ａの輪郭からドレイン電極２４の外縁までの距離）ＳＷで遮光するためには、ドレイン電極２４の水平方向に沿った幅Ｗ３Hも大きくする必要がある。従って、水平方向の画素ピッチと垂直方向の画素ピッチとの比（Ｈ／Ｖ比）が１：３である標準的な画素構成が採用されている場合、精細度が高くなると、水平方向の同層間スペースＳを十分に確保することができなくなる。そのため、比較例１のアクティブマトリクス基板１０００では、精細度に対する制限が発生し、高い精細度での製造が困難になる。具体的には、画素密度が３７０ｐｐｉ以上での製造が、困難になってしまう。
【００６８】
これに対し、本実施形態におけるアクティブマトリクス基板１００Ａでは、第１開口部１６ａの水平方向（第１方向）に沿った幅Ｗ１Hが、第２開口部１８ａの水平方向に沿った幅Ｗ２Hよりも小さいので、遮光幅ＳＷを従来と同じだけ確保したまま（つまり配向乱れによるコントラスト比の低下を伴うことなく）、ドレイン電極２４の水平方向に沿った幅Ｗ３Hを小さくすることができる。そのため、十分な同層間スペースＳを確保することができるので、製造可能な精細度（同層間でのリーク不良を増加させることのない上限値）を高くすることができる。具体的には、画素密度を４５０ｐｐｉ程度まで高くしても、十分に製造することができる。
【００６９】
なお、第１開口部１６ａの幅が第２開口部１８ａの幅よりも小さくなるような断面（Ｗ１H＜Ｗ２Hである図２（ａ）に示す断面）においては、第１コンタクトホール３１の側面形状の急峻化に起因する上層電極１９の段切れが発生する懸念がある。しかしながら、本実施形態におけるアクティブマトリクス基板１００Ａでは、第２開口部１８ａの輪郭の一部が、第１開口部１６ａの輪郭の内側に位置しており、第２開口部１８ａの輪郭が第１開口部１６ａの輪郭の内側に位置するような断面（図２（ｃ）に示す断面）においては上層電極１９の段切れの発生が抑制される。図２（ｃ）において、第１コンタクトホール３１の左側および右側の側面形状は、比較例１のアクティブマトリクス基板１０００と同じであることに注目されたい。そのため、その部分（第２開口部１８ａの輪郭のうち、第１開口部１６ａの輪郭の内側に位置する部分；ここでは第２開口部１８ａの輪郭の上辺および下辺の一部）を起点として上層電極１９とドレイン電極２４との接触面積を十分に（比較例１と同等以上に）確保することができるので、比較例１と同等以上の接続抵抗を実現することができる。
【００７０】
このように、本実施形態におけるアクティブマトリクス基板１００Ａでは、比較例１のアクティブマトリクス基板１０００と同等の性能や接続抵抗を確保した上で、製造可能な精細度を向上させることができる。また、同一の画素ピッチ（つまり同一の精細度）で比較した場合には、本実施形態におけるアクティブマトリクス基板１００Ａでは、同層間スペースＳが拡大されるので、同層間でのリーク不良を低減させることができ、歩留りの向上を図ることができる。
【００７１】
さらに、本実施形態のアクティブマトリクス基板１００Ａでは、補助容量を構成する上層電極１９および下層電極１７がそれぞれ透明な導電材料から形成されているので、開口率を低下させることなく、十分な補助容量値を確保することができる。また、下層電極１７により、画素電極として機能する上層電極１９を、走査配線１１および信号配線１２から電気的に遮蔽することができるので、上層電極１９と、走査配線１１や信号配線１２との間に静電容量（寄生容量）が形成されるのを防止することができる。そのため、走査配線１１や信号配線１２の負荷を低減させることができ、消費電力の低減も可能となる。
【００７２】
なお、上述した、製造可能な精細度を向上させ得るという効果は、図６および図７に示す比較例２のアクティブマトリクス基板１１００でも得られる。比較例２のアクティブマトリクス基板１１００は、第２開口部１８ａの輪郭が矩形状である点において、本実施形態におけるアクティブマトリクス基板１００Ａと異なっている。
【００７３】
そのため、比較例２のアクティブマトリクス基板１１００における第２開口部１８ａの水平方向に沿った幅Ｗ２Hおよび垂直方向に沿った幅Ｗ２Vと、本実施形態のアクティブマトリクス基板１００Ａにおける第２開口部１８ａの水平方向に沿った幅Ｗ２Hおよび垂直方向に沿った幅Ｗ２Vとが同じである場合、本実施形態のアクティブマトリクス基板１００Ａの第２開口部１８ａのうちの第１開口部１６ａに重ならない部分の面積は、比較例２のアクティブマトリクス基板１１００の第２開口部１８ａのうちの第１開口部１６ａに重ならない部分の面積よりも小さい。
【００７４】
比較例２のアクティブマトリクス基板１１００においても、第１開口部１６ａの水平方向に沿った幅Ｗ１Hは、第２開口部１８ａの水平方向に沿った幅Ｗ２Hよりも小さい。また、基板１０の法線方向から見たとき、第２開口部１８ａの輪郭の一部が、第１開口部１６ａの輪郭の内側に位置している。そのため、比較例２のアクティブマトリクス基板１１００についても、本実施形態におけるアクティブマトリクス基板１００Ａについて説明したのと同じ理由から、製造可能な精細度を向上させることができる。
【００７５】
しかしながら、比較例２のアクティブマトリクス基板１１００では、誘電体層１８（例えばＳｉＮｘから形成される）にドライエッチングにより第２開口部１８ａを形成する際に、第１層間絶縁層１６（例えば感光性樹脂から形成される）の表面もエッチングされてしまい、エッチングされた領域上の液晶分子の配向が乱れる。さらに、そのような領域がドレイン電極２４および誘電体層１８のエッチングシフトによってドレイン電極２４で十分に遮光されなくなると、光漏れが発生してしまう。
【００７６】
図８に、上述した理由によって光漏れが発生し得る領域Ｒ１を示す。図８に示すように、第２開口部１８ａのうち、第１開口部１６ａに重ならない部分が、光漏れの発生し得る領域Ｒ１となる。光漏れの発生は、表示品位の低下の原因となる。
【００７７】
これに対し、本実施形態におけるアクティブマトリクス基板１００Ａでは、第２開口部１８ａのうちの第１開口部１６ａに重ならない部分の面積が、比較例２のアクティブマトリクス基板１１００よりも小さいので、第１層間絶縁層１６の表面のうち、誘電体層１８に第２開口部１８ａを形成する際にエッチングされてしまう領域の面積が小さくなる。そのため、配向乱れおよび光漏れの発生による表示品位の低下が抑制される。
【００７８】
なお、第２開口部１８ａが、第１開口部１６ａに重ならない第２の部分１８ａ２を有していなければ（つまり第１の部分１８ａ１のみを有していれば）、上述したようなエッチングされてしまう領域の面積はもっとも小さくなるが、以下に説明する理由から、第２開口部１８ａは、第２の部分１８ａ２を有していることが好ましい。
【００７９】
図９（ａ）に示すように、第２開口部１８ａが、第２の部分１８ａ２を有しておらず、第１の部分１８ａ１のみを有している場合を考える。このような第２開口部１８ａとドレイン電極２４とが、図９（ｂ）に示すように、アライメントずれによって本来の位置関係からずれることがある。図９（ｂ）に示す例では、第２開口部１８ａは、本来の位置よりも右側にずれている。このずれによって第２開口部１８ａが第１開口部１６ａと重ならなくなった領域Ｒ２では、図９（ｃ）に示すように、上層電極１９がドレイン電極２４に接触しなくなり、コンタクト面積が大きく減少してしまう。
【００８０】
これに対し、本実施形態におけるアクティブマトリクス基板１００Ａのように、第２開口部１８ａが、第１開口部１６ａに重ならない第２の部分１８ａ２を有していると、図１０（ａ）および（ｂ）に示すように、アライメントずれが発生しても、第２の部分１８ａ２が存在することにより、コンタクト面積の減少を抑制することができる。また、図１０（ａ）および（ｂ）からわかるように、複数の（ここでは４つの）第２の部分１８ａ２のうちの少なくとも１つの（ここでは２つの）第２の部分１８ａ２が第１の部分１８ａ１に対して水平方向における一側に位置し、他の少なくとも１つの（ここでは残りの２つの）第２の部分１８ａ２が他側に位置していることにより、水平方向におけるいずれの側に第２開口部１８ａがずれたとしてもコンタクト面積の減少を抑制することができる。
【００８１】
続いて、図１１〜図１４を参照しながら、本実施形態におけるアクティブマトリクス基板１００Ａの製造方法の例を説明する。図１１〜図１４は、アクティブマトリクス基板１００Ａの製造方法を説明するための工程断面図である。図１１の（ａ１）〜（ａ３）および図１２〜図１４の（ａ１）、（ａ２）は、図１中の２Ａ−２Ａ’線に沿った断面に対応する。また、図１１の（ｂ１）〜（ｂ３）および図１２〜図１４の（ｂ１）、（ｂ２）は、図１中の２Ｂ−２Ｂ’線に沿った断面に対応し、図１１の（ｃ１）〜（ｃ３）および図１２〜図１４の（ｃ１）、（ｃ２）は、図１中の２Ｃ−２Ｃ’線に沿った断面に対応する。
【００８２】
まず、図１１（ａ１）、（ｂ１）および（ｃ１）に示すように、基板１０上に、ベースコート層１３を形成する。例えば、基板１０としてガラス基板を用い、このガラス基板の表面にＣＶＤ法によりベースコート層１３として厚さ５０ｎｍ〜１００ｎｍのＳｉＯＮ膜（下層）と厚さ５０ｎｍ〜２００ｎｍのＳｉＯ2膜（上層）との積層膜（ＳｉＯ2／ＳｉＯＮ膜）を形成する。
【００８３】
次に、図１１（ａ２）、（ｂ２）および（ｃ２）に示すように、ベースコート層１３上に半導体層２１を形成する。例えば、公知の手法により、半導体層２１として厚さ３０ｎｍ〜６０ｎｍの島状の多結晶シリコン（ｐｏｌｙ−Ｓｉ）層を形成する。
【００８４】
続いて、図１１（ａ３）、（ｂ３）および（ｃ３）に示すように、半導体層２１を覆うゲート絶縁層１４を形成する。例えば、ＣＶＤ法によりゲート絶縁層１４として厚さ５０ｎｍ〜１００ｎｍのＳｉＯ2膜を形成する。その後、ここでは図示しないが、ゲート絶縁層１４上に走査配線１１およびゲート電極２２を形成する。例えば、スパッタ法により厚さ３０ｎｍ〜５０ｎｍのＴａＮ膜（下層）と厚さ３００ｎｍ〜４００ｎｍのＷ膜（上層）との積層膜を堆積し、この積層膜（Ｗ／ＴａＮ膜）をフォトリソグラフィ法によりパターニングすることによって、走査配線１１およびゲート電極２２を形成する。
【００８５】
次に、図１２（ａ１）、（ｂ１）および（ｃ１）に示すように、走査配線１１およびゲート電極２２を覆う第２層間絶縁層１５を形成する。例えば、ＣＶＤ法により第２層間絶縁層１５として厚さ１００ｎｍ〜３００ｎｍのＳｉＮｘ膜（下層）と厚さ４００ｎｍ〜７００ｎｍのＳｉＯ2膜（上層）との積層膜（ＳｉＯ2／ＳｉＮｘ膜）を形成する。その後、ゲート絶縁層１４および第２層間絶縁層１５に、半導体層２１の一部を露出する第２コンタクトホール３２および第３コンタクトホール３３（ここでは不図示）をエッチングにより形成する。
【００８６】
続いて、図１２（ａ２）、（ｂ２）および（ｃ２）に示すように、第２層間絶縁層１５上に、信号配線１２、ソース電極２３（ここでは不図示）およびドレイン電極２４を形成する。例えば、スパッタ法により厚さ３０ｎｍ〜５０ｎｍのＴｉ膜（下層）と、厚さ３００ｎｍ〜５００ｎｍのＡｌ層（中間層）と、厚さ３０ｎｍ〜５０ｎｍのＴｉ膜（上層）との積層膜を堆積し、この積層膜（Ｔｉ／Ａｌ／Ｔｉ膜）をフォトリソグラフィ法によりパターニングすることによって、信号配線１２、ソース電極２３およびドレイン電極２４を形成する。このようにして、基板１０上に、ＴＦＴ２０を形成することができる。
【００８７】
次に、図１３（ａ１）、（ｂ１）および（ｃ１）に示すように、ＴＦＴ２０を覆う第１層間絶縁層１６であって、第１開口部１６ａを有する第１層間絶縁層１６を形成する。第１層間絶縁層１６は、樹脂等の有機材料からなる層を含むことが好ましい。例えば、第１層間絶縁層１６として厚さ２μｍ〜３μｍのポジ型の感光性樹脂膜を用いて、第１開口部１６ａを有する第１層間絶縁層１６を形成することができる。
【００８８】
続いて、図１３（ａ２）、（ｂ２）および（ｃ２）に示すように、第１層間絶縁層１６上に、下層電極（補助容量配線および補助容量電極として機能する）１７を形成する。例えば、スパッタ法により下層電極１７として厚さ５０ｎｍ〜２００ｎｍのＩＴＯ膜を形成する。なお、後に第１コンタクトホール３１となる領域近傍（つまり第１開口部１６ａ近傍）においては下層電極１７の導電膜は除去されている。
【００８９】
次に、図１４（ａ１）、（ｂ１）および（ｃ１）に示すように、下層電極１７上に、第２開口部１８ａを有する誘電体層１８を形成する。例えば、ＣＶＤ法により厚さ１００ｎｍ〜３００ｎｍのＳｉＮｘ膜を堆積し、このＳｉＮｘ膜にエッチングにより第２開口部１８ａを形成することにより、誘電体層１８を形成する。
【００９０】
その後、図１４（ａ２）、（ｂ２）および（ｃ２）に示すように、誘電体層１８上に、誘電体層１８を介して下層電極１７の少なくとも一部に重なる上層電極（画素電極として機能する）１９を形成する。例えば、スパッタ法により厚さ５０ｎｍ〜２００ｎｍのＩＴＯ膜を堆積し、このＩＴＯ膜をフォトリソグラフィ法によりパターニングすることにより、上層電極１９を形成する。上層電極１９は、第１層間絶縁層１６の第１開口部１６ａおよび誘電体層１８の第２開口部１８ａを含む第１コンタクトホール３１において、ドレイン電極２４に電気的に接続されている。
【００９１】
第１層間絶縁層１６を形成する工程および誘電体層１８を形成する工程は、第１開口部１６ａの水平方向（第１方向）に沿った幅Ｗ１Hが、第２開口部１８ａの水平方向に沿った幅Ｗ２Hよりも小さくなるように実行される。また、これら２つの工程は、基板１０の法線方向から見たとき、第２開口部１８ａの輪郭の一部が、第１開口部１６の輪郭の内側に位置するように実行される。
【００９２】
さらに、これら２つの工程は、基板１０の法線方向から見たとき、第２開口部１８ａの輪郭が矩形状ではなく、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである矩形状と仮想した場合よりも小さくなるように実行される。
【００９３】
このようにして、本実施形態におけるアクティブマトリクス基板１００Ａを製造することができる。
【００９４】
なお、本実施形態では、第１開口部１６ａの水平方向（第１方向）に沿った幅Ｗ１Hが、第２開口部１８ａの水平方向に沿った幅Ｗ２Hよりも小さい場合を例示したが本発明はこれに限定されるものではない。本実施形態のように、ドレイン電極２４が信号配線１２と同一の導電膜から形成されている場合には、水平方向の同層間スペースを十分に確保するために、第１開口部１６ａの水平方向に沿った幅Ｗ１Hを第２開口部１８ａの水平方向に沿った幅Ｗ２Hよりも小さくすることが好ましいが、垂直方向の同層間スペースを十分に確保したい場合には、第１開口部１６ａの垂直方向（第２方向）に沿った幅を、第２開口部１８ａの垂直方向に沿った幅よりも小さくすればよい。つまり、図１に示されている第１開口部１６ａおよび第２開口部１８ａを９０°回転させた構成を採用してもよい。
【００９５】
また、本実施形態では、ＶＡモードの液晶表示装置用の画素構造を例示したが、他の表示モードの液晶表示装置用の画素構造であっても、本発明を好適に用いることができ、例えば、ＦＦＳモードの液晶表示装置用の画素構造であってもよい。ＶＡモードの液晶表示装置が、垂直配向型の液晶層を備えるのに対し、ＦＦＳモードの液晶表示装置は、水平配向型の液晶層を備える。また、画素内におけるドレイン電極２４の位置にも制限はなく、図１等に例示したように画素の中央付近に限定されず、各表示モード用の画素構造（電極構造）に応じた最適な位置であってよい。
【００９６】
（実施形態２）
図１５および図１６に、本実施形態におけるアクティブマトリクス基板１００Ｂを示す。図１５は、アクティブマトリクス基板１００Ｂを模式的に示す平面図である。図１６（ａ）、（ｂ）および（ｃ）は、それぞれ図１５中の１６Ａ−１６Ａ’線、１６Ｂ−１６Ｂ’線および１６Ｃ−１６Ｃ’線に沿った断面図である。
【００９７】
アクティブマトリクス基板１００Ｂでは、実施形態１におけるアクティブマトリクス基板１００Ａと同様に、第１開口部１６ａの水平方向（第１方向）に沿った幅Ｗ１Hが、第２開口部１８ａの水平方向に沿った幅Ｗ２Hよりも小さく、また、基板１０の法線方向から見たとき、第２開口部１８ａの輪郭の一部が、第１開口部１６ａの輪郭の内側に位置している。そのため、比較例１のアクティブマトリクス基板１０００と同等の性能や接続抵抗を確保した上で、製造可能な精細度を向上させることができる。
【００９８】
また、アクティブマトリクス基板１００Ｂにおいても、実施形態１におけるアクティブマトリクス基板１００Ａと同様に、第２開口部１８ａの輪郭は矩形状ではない。ただし、アクティブマトリクス基板１００Ｂの第２開口部１８ａの形状は、実施形態１におけるアクティブマトリクス基板１００Ａの第２開口部１８ａの形状と異なっている。
【００９９】
ここで、図１７（ａ）および（ｂ）を参照しながら、第１開口部１６ａおよび第２開口部１８ａの形状・配置をより詳しく説明する。図１７（ａ）および（ｂ）は、第１開口部１６ａおよび第２開口部１８ａの近傍を拡大して示す図である。図１７（ａ）では、第１開口部１６ａの輪郭を実線で示し、第２開口部１８ａの輪郭を破線で示している。これに対し、図１７（ｂ）では、第１開口部１６ａの輪郭を破線で示し、第２開口部１８ａの輪郭を実線で示している。
【０１００】
基板１０の法線方向から見たとき、第１開口部１６ａの輪郭は、図１７（ａ）に示すように、矩形状である。これに対し、第２開口部１８ａの輪郭は、図１７（ｂ）に示すように、矩形状ではない。
【０１０１】
第２開口部１８ａは、第１開口部１６ａに重なる第１の部分１８ａ１と、第１の部分１８ａ１から延び、第１開口部１６ａに重ならない複数の第２の部分１８ａ２とを有する。実施形態１におけるアクティブマトリクス基板１００Ａの第２開口部１８ａが４つの第２の部分１８ａ２を有しているのに対し、本実施形態におけるアクティブマトリクス基板１００Ｂの第２開口部１８ａは、２つの第２の部分１８ａ２を有している。
【０１０２】
２つの第２の部分１８ａ２のうちの１つは、第１の部分１８ａ１に対して水平方向（第１方向）における一側（左側）に位置し、残りの１つは、他側（右側）に位置する。より具体的には、前者の第２の部分１８ａ２は、第１の部分１８ａ１の左上から延びており、後者の第２の部分１８ａ２は、第１の部分１８ａ１の右下から延びている。
【０１０３】
従って、第２開口部１８ａは、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである矩形状と仮想した場合よりも小さくなるように形成されている、といえる。また、本実施形態のアクティブマトリクス基板１００Ｂでは、第２開口部１８ａが有する第２の部分１８ａ２が２つであるので、第２開口部１８ａが有する第２の部分１８ａ２が４つである実施形態１におけるアクティブマトリクス基板１００と比べ、第１層間絶縁層１６の表面のうち、誘電体層１８に第２開口部１８ａを形成する際にエッチングされてしまう領域の面積がいっそう小さくなる。そのため、配向乱れおよび光漏れの発生による表示品位の低下がいっそう抑制される。
【０１０４】
なお、２つの第２の部分１８ａ２のうちの一方の第２の部分１８ａ２が第１の部分１８ａ１に対して水平方向における一側に位置し、他方の第２の部分１８ａ２が他側に位置していることにより、水平方向におけるいずれの側に第２開口部１８ａがずれたとしてもコンタクト面積の減少を抑制することができる。
【０１０５】
図１８に、アライメントずれによって第２開口部１８ａとドレイン電極２４とが本来の位置関係からずれた場合を示す。図１８には、このずれによって第２開口部１８ａが第１開口部１６ａと重ならなくなった領域（つまりコンタクトがとれなくなった領域）Ｒ２と、光漏れが発生し得る領域Ｒ１とを併せて示している。図１８からもわかるように、アライメントずれによって第２開口部１８ａとドレイン電極２４とが本来の位置関係からずれた場合、領域Ｒ１の大きさと領域Ｒ２の大きさとはトレードオフの関係にある。
【０１０６】
そのため、光漏れの発生を抑制する観点からは、本実施形態におけるアクティブマトリクス基板１００Ｂの第２開口部１８ａの形状の方が好ましく、コンタクト面積を大きくする観点からは、実施形態１におけるアクティブマトリクス基板１００Ａの第２開口部１８ａの形状の方が好ましいと言える。
【０１０７】
（実施形態３）
図１９および図２０に、本実施形態におけるアクティブマトリクス基板１００Ｃを示す。図１９は、アクティブマトリクス基板１００Ｃを模式的に示す平面図である。図２０（ａ）、（ｂ）および（ｃ）は、それぞれ図１９中の２０Ａ−２０Ａ’線、２０Ｂ−２０Ｂ’線および２０Ｃ−２０Ｃ’線に沿った断面図である。
【０１０８】
アクティブマトリクス基板１００Ｃでは、実施形態１におけるアクティブマトリクス基板１００Ａと同様に、第１開口部１６ａの水平方向（第１方向）に沿った幅Ｗ１Hが、第２開口部１８ａの水平方向に沿った幅Ｗ２Hよりも小さく、また、基板１０の法線方向から見たとき、第２開口部１８ａの輪郭の一部が、第１開口部１６ａの輪郭の内側に位置している。そのため、比較例１のアクティブマトリクス基板１０００と同等の性能や接続抵抗を確保した上で、製造可能な精細度を向上させることができる。
【０１０９】
また、アクティブマトリクス基板１００Ｃにおいても、実施形態１におけるアクティブマトリクス基板１００Ａと同様に、第２開口部１８ａの輪郭は矩形状ではない。ただし、アクティブマトリクス基板１００Ｃの第２開口部１８ａの形状は、実施形態１におけるアクティブマトリクス基板１００Ａの第２開口部１８ａの形状と異なっている。
【０１１０】
ここで、図２１（ａ）および（ｂ）を参照しながら、第１開口部１６ａおよび第２開口部１８ａの形状・配置をより詳しく説明する。図２１（ａ）および（ｂ）は、第１開口部１６ａおよび第２開口部１８ａの近傍を拡大して示す図である。図２１（ａ）では、第１開口部１６ａの輪郭を実線で示し、第２開口部１８ａの輪郭を破線で示している。これに対し、図２１（ｂ）では、第１開口部１６ａの輪郭を破線で示し、第２開口部１８ａの輪郭を実線で示している。
【０１１１】
基板１０の法線方向から見たとき、第１開口部１６ａの輪郭は、図２１（ａ）に示すように、矩形状である。これに対し、第２開口部１８ａの輪郭は、図２１（ｂ）に示すように、矩形状ではない。
【０１１２】
第２開口部１８ａの輪郭は、基板１０の法線方向から見たとき、その一部が、第１開口部１６ａの輪郭の内側に位置している。より具体的には、第２開口部１８ａの輪郭は、水平方向に対して傾斜した２つの辺であって、それぞれが部分的に第１開口部１６ａの輪郭の内側に位置している２つの辺（上辺および下辺）を含んでいる。
【０１１３】
また、第２開口部１８ａは、第１開口部１６ａに重なる第１の部分１８ａ１と、第１の部分１８ａ１から延び、第１開口部１６ａに重ならない複数の第２の部分１８ａ２とを有する。本実施形態では、第２開口部１８ａは、４つの第２の部分１８ａ２を有する。４つの第２の部分１８ａ２のうちの２つは、第１の部分１８ａ１に対して水平方向（第１方向）における一側（左側）に位置し、残りの２つは、他側（右側）に位置する。より具体的には、前者の２つの第２の部分１８ａ２は、第１の部分１８ａ１の左上および左下から延びており、後者の２つの第２の部分１８ａ２は、第１の部分１８ａ１の右上および右下から延びている。
【０１１４】
上述したように、第２開口部１８ａの輪郭は、水平方向に対して傾斜した上辺および下辺を含んでいるので、第１の部分１８ａ１は、矩形ではない平行四辺形状（ここでは矩形ではないひし形状）である。
【０１１５】
従って、第２開口部１８ａの輪郭は、水平方向および垂直方向に対して傾斜したＨ字状である。そのため、第２開口部１８ａは、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである矩形状と仮想した場合よりも小さくなるように形成されている、といえる。それ故、配向乱れおよび光漏れの発生による表示品位の低下が抑制される。
【０１１６】
なお、本実施形態における第２開口部１８ａは、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである（矩形ではない）平行四辺形状と仮想した場合（つまり第１の部分１８ａ１に対して同じ側に位置する２つの第２の部分１８ａ１が連続していると仮想した場合）よりも小さくなるように形成されている、ともいえる。
【０１１７】
図２２に、アライメントずれによって第２開口部１８ａとドレイン電極２４とが本来の位置関係からずれた場合を示す。図２２には、このずれによって第２開口部１８ａが第１開口部１６ａと重ならなくなった領域（つまりコンタクトがとれなくなった領域）Ｒ２と、光漏れが発生し得る領域Ｒ１とを併せて示している。図２２からもわかるように、アライメントずれによって第２開口部１８ａとドレイン電極２４とが本来の位置関係からずれた場合、領域Ｒ１の大きさと領域Ｒ２の大きさとはトレードオフの関係にある。
【０１１８】
（実施形態４）
図２３および図２４に、本実施形態におけるアクティブマトリクス基板１００Ｄを示す。図２３は、アクティブマトリクス基板１００Ｄを模式的に示す平面図である。図２４（ａ）および（ｂ）は、それぞれ図２３中の２４Ａ−２４Ａ’線および２４Ｂ−２４Ｂ’線に沿った断面図である。
【０１１９】
アクティブマトリクス基板１００Ｄでは、実施形態１におけるアクティブマトリクス基板１００Ａと同様に、第１開口部１６ａの水平方向（第１方向）に沿った幅Ｗ１Hが、第２開口部１８ａの水平方向に沿った幅Ｗ２Hよりも小さく、また、基板１０の法線方向から見たとき、第２開口部１８ａの輪郭の一部が、第１開口部１６ａの輪郭の内側に位置している。そのため、比較例１のアクティブマトリクス基板１０００と同等の性能や接続抵抗を確保した上で、製造可能な精細度を向上させることができる。
【０１２０】
また、アクティブマトリクス基板１００Ｄにおいても、実施形態１におけるアクティブマトリクス基板１００Ａと同様に、第２開口部１８ａの輪郭は矩形状ではない。ただし、アクティブマトリクス基板１００Ｄの第２開口部１８ａの形状は、実施形態１におけるアクティブマトリクス基板１００Ａの第２開口部１８ａの形状と異なっている。
【０１２１】
ここで、図２５（ａ）および（ｂ）を参照しながら、第１開口部１６ａおよび第２開口部１８ａの形状・配置をより詳しく説明する。図２５（ａ）および（ｂ）は、第１開口部１６ａおよび第２開口部１８ａの近傍を拡大して示す図である。図２５（ａ）では、第１開口部１６ａの輪郭を実線で示し、第２開口部１８ａの輪郭を破線で示している。これに対し、図２５（ｂ）では、第１開口部１６ａの輪郭を破線で示し、第２開口部１８ａの輪郭を実線で示している。
【０１２２】
基板１０の法線方向から見たとき、第１開口部１６ａの輪郭は、図２５（ａ）に示すように、矩形状である。これに対し、第２開口部１８ａの輪郭は、図２５（ｂ）に示すように、矩形状ではない。
【０１２３】
第２開口部１８ａの輪郭は、基板１０の法線方向から見たとき、その一部が、第１開口部１６ａの輪郭の内側に位置している。より具体的には、第２開口部１８ａの輪郭は、水平方向に略平行な２つの辺であって、それぞれが部分的に第１開口部１６ａの輪郭の内側に位置している２つの辺（上辺および下辺）を含んでいる。
【０１２４】
また、第２開口部１８ａは、第１開口部１６ａに重なる第１の部分１８ａ１と、第１の部分１８ａ１から延び、第１開口部１６ａに重ならない複数の第２の部分１８ａ２とを有する。本実施形態では、第２開口部１８ａは、２つの第２の部分１８ａ２を有する。２つの第２の部分１８ａ２のうちの一方は、第１の部分１８ａ１に対して水平方向（第１方向）における一側（左側）に位置し、他方は、他側（右側）に位置する。より具体的には、前者の第２の部分１８ａ２は、第１の部分１８ａ１の左から延びる三角形状であり、後者の第２の部分１８ａ２は、第１の部分１８ａ１の右から延びる三角形状である。
【０１２５】
従って、第２開口部１８ａの輪郭は、矩形ではない平行四辺形状である。そのため、第２開口部１８ａは、第２開口部１８ａのうちの第１開口部１６ａに重ならない部分の面積が、第２開口部１８ａの輪郭を、水平方向（第１方向）に沿った幅および垂直方向（第２方向）に沿った幅が第２開口部１８ａの輪郭と同じである矩形状と仮想した場合よりも小さくなるように形成されている、といえる。それ故、配向乱れおよび光漏れの発生による表示品位の低下が抑制される。
【０１２６】
また、本実施形態におけるアクティブマトリクス基板１００Ｄでは、第２開口部１８ａの輪郭が、矩形ではない平行四辺形状であり、Ｈ字状に比べて単純な形状であるので、フォトマスク（誘電体層１８に第２開口部１８ａを形成するためのフォトマスク）の設計上有利である。
【０１２７】
図２６に、アライメントずれによって第２開口部１８ａとドレイン電極２４とが本来の位置関係からずれた場合を示す。図２６には、このずれによって第２開口部１８ａが第１開口部１６ａと重ならなくなった領域（つまりコンタクトがとれなくなった領域）Ｒ２と、光漏れが発生し得る領域Ｒ１とを併せて示している。図２６からもわかるように、アライメントずれによって第２開口部１８ａとドレイン電極２４とが本来の位置関係からずれた場合、領域Ｒ１の大きさと領域Ｒ２の大きさとはトレードオフの関係にある。
【０１２８】
（実施形態５）
図２７および図２８に、本実施形態におけるアクティブマトリクス基板１００Ｅを示す。図２７は、アクティブマトリクス基板１００Ｅを模式的に示す平面図であり、図２８（ａ）、（ｂ）および（ｃ）は、それぞれ図２７中の２８Ａ−２８Ａ’線、２８Ｂ−２８Ｂ’線および２８Ｃ−２８Ｃ’線に沿った断面図である。
【０１２９】
本実施形態におけるアクティブマトリクス基板１００Ｅは、ゲート絶縁層１４および第２層間絶縁層１５に形成されている第２コンタクトホール３２の配置が、実施形態１におけるアクティブマトリクス基板１００Ａと異なっている。
【０１３０】
実施形態１のアクティブマトリクス基板１００Ａでは、図１および図２（ｃ）に示されているように、基板１０の法線方向から見たとき、第２コンタクトホール３２は、第１コンタクトホール３１に重なっていない。
【０１３１】
これに対し、本実施形態におけるアクティブマトリクス基板１００Ｅでは、図２７および図２８（ｃ）に示されているように、基板１０の法線方向から見たとき、第２コンタクトホール３２の少なくとも一部が、第１コンタクトホール３１に重なっている。また、基板１０の法線方向から見たとき、第１コンタクトホール３１の中心と、第２コンタクトホール３２の中心とは、ずれている。
【０１３２】
本実施形態におけるアクティブマトリクス基板１００Ｅでは、上述したように、第２コンタクトホール３２の少なくとも一部が、第１コンタクトホール３１に重なっているので、ドレイン電極２４のサイズをさらに小さくすることができる。そのため、開口率のいっそうの向上を図ることができる。
【０１３３】
なお、本実施形態のように、第２コンタクトホール３２の少なくとも一部が第１コンタクトホール３１に重なる構成を採用する場合、図２７および図２８（ｃ）に例示しているように、第１コンタクトホール３１の中心と、第２コンタクトホール３２の中心とは、ずれていることが好ましい。第１コンタクトホール３１の中心と、第２コンタクトホール３２の中心とが一致していると、誘電体層１８に第２開口部１８ａを形成する際に、エッチング膜厚が極端に増加して、誘電体層１８を開口できない可能性が生じるからである。
【０１３４】
また、上記実施形態１〜５では、トップゲート型のＴＦＴ２０を例示したが、本発明はこれに限定されるものではない。ＴＦＴ２０として、ボトムゲート型のＴＦＴを用いてもよい。その場合、ゲート絶縁層１４は、ゲート電極２２を覆うように設けられる。また、第２層間絶縁層１５は、半導体層２１を覆うように設けられる。さらに、第２コンタクトホール３２は、ゲート絶縁層１４には形成されず、第２層間絶縁層１５のみに形成される。
【０１３５】
（液晶表示装置の構成）
ここで、実施形態１〜５のアクティブマトリクス基板１００Ａ〜１００Ｅが用いられ得る液晶表示装置の具体的な構成を説明する。
【０１３６】
図２９に示す液晶表示装置２００は、アクティブマトリクス基板１００と、対向基板１１０と、液晶層１２０とを備える。
【０１３７】
アクティブマトリクス基板１００は、例えば、実施形態１〜５のアクティブマトリクス基板１００Ａ〜１００Ｅのいずれかである。
【０１３８】
対向基板１１０は、アクティブマトリクス基板１００に対向するように配置されている。対向基板１１０には、典型的には、カラーフィルタ（不図示）が設けられている。また、液晶層１２０に対して縦電界が印加される表示モード（例えばＶＡモード）では、対向基板１１０には、画素電極（図１などに示す上層電極１９）に対向する対向電極（共通電極；不図示）が設けられている。液晶層１２０に対して横電界が印加される表示モード（例えばＦＦＳモード）では、アクティブマトリクス基板１００に共通電極が設けられている。例えば、２層電極構造における下層電極１７を共通電極として機能させることができる。
【０１３９】
液晶層１２０は、アクティブマトリクス基板１００および対向基板１１０の間に設けられている。液晶層１２０としては、ＶＡモードでは垂直配向型の液晶層が用いられ、ＦＦＳモードでは水平配向型の液晶層が用いられる。
【０１４０】
アクティブマトリクス基板１００および対向基板１１０のそれぞれの液晶層１２０側の表面には、配向膜１３０ａおよび１３０ｂが設けられている。配向膜１３０ａおよび１３０ｂとしては、表示モードに応じて、垂直配向膜または水平配向膜が用いられる。
【０１４１】
また、典型的には、液晶層１２０を介して互いに対向する一対の偏光板が設けられている。さらに、必要に応じて、液晶層１２０の背面側および／または観察者側に、位相差板が設けられている。
【０１４２】
以下、液晶表示装置２００にＶＡモードやＦＦＳモードを採用した場合における、具体的な画素構造の例を説明する。以下に説明する例では、アクティブマトリクス基板１００における、第１開口部１６ａおよび第２開口部１８ａの形状・配置は、実施形態１におけるアクティブマトリクス基板１００Ａと同じである。
【０１４３】
図３０に、ＶＡモードを採用した場合の画素構造の例を示す。図３０に示す例では、画素電極として機能する上層電極１９は、いわゆるべた電極である。アクティブマトリクス基板１００上には、複数の柱状スペーサ４１が形成されている。各柱状スペーサ４１は、走査配線１１と信号配線１２との交差部に配置されている。つまり、各画素の４隅に、都合４つの柱状スペーサ４１が配置されている。また、対向基板１１０の対向電極には、各画素の中心に対応する領域に開口部４３が形成されている。
【０１４４】
柱状スペーサ４１は、その側面に対して液晶分子を垂直に配向させるような配向規制力を有する。また、対向電極の開口部４３は、電圧印加時にそのエッジに直交する方向に液晶分子を倒すような配向規制力を発現させる。そのため、液晶層１２０に電圧が印加されると、各画素には、軸対称配向（放射状傾斜配向）をとる液晶ドメインが形成される。図１６には、電圧印加時における液晶分子の配向方向が矢印Ｄで示されている。１つの液晶ドメイン内では、液晶分子は、ほぼ全方位に配向するので、良好な視角特性が得られる。
【０１４５】
図３１に、ＶＡモードを採用した場合の画素構造の他の例を示す。図３１に示す例においても、対向基板１１０の対向電極には、各画素の中心に対応する領域に開口部４３が形成されている。ただし、図３１に示す例では、アクティブマトリクス基板１００上ではなく対向基板１１０上に、複数の柱状スペーサ４２が形成されている。また、各柱状スペーサ４２は、信号配線１２に重なるように配置されており、垂直方向において各画素の中心付近に位置している。
【０１４６】
図３１に示す例においても、液晶層１２０に電圧が印加されると、柱状スペーサ４２の配向規制力と、対向電極の開口部４３の配向規制力とによって、各画素に軸対称配向の液晶ドメインが形成される。アクティブマトリクス基板１００上に形成された柱状スペーサ４１と、対向基板１１０上に形成された柱状スペーサ４２とでは、液晶分子に及ぼす配向規制力の方向が異なるので、その違いに応じて、アクティブマトリクス基板１００上に形成された柱状スペーサ４１と、対向基板１１０上に形成された柱状スペーサ４２とでは、平面的な配置が異なっている。
【０１４７】
また、図３１に示す例では、画素電極として機能する上層電極１９の左上角部および左下角部に切欠き部１９ｃが形成されている。これは、画素間に形成される配向中心の位置を規制して表示品位を向上するためである。液晶層１２０への電圧印加時には、対向電極の開口部４３の中央（画素の中央）だけでなく、上下方向（表示面の垂直方向）に隣接する２つの画素の間にも配向中心が形成される。この画素間の配向中心を形成するための配向規制力は、セル厚や、画素電極の電極パターンの仕上がり、プレチルト角（特開２００２−３５７８３０号公報に開示されているようなＰＳＡ技術を適用した場合）等の諸条件の影響によって弱まることがあるので、左右方向における配向中心の位置が画素単位でばらつくことがある。このばらつきは、表示のざらつきや、左右方向に視角を倒したときの色味異常のような表示品位の低下の原因となる。上層電極１９に切欠き部１９ｃを形成することにより、上下画素間における配向中心の位置を規制することができる。具体的には、上述したように切欠き部１９ｃが上層電極１９の左側（左上角部および左下角部）に形成されていると、画素電極同士（上層電極１９同士）の間隔が狭い側（つまり切欠き部１９ｃが形成されていない右側）に配向中心を固定することができる。
【０１４８】
なお、図３１に示す例では、走査配線１１が、画素の中心付近を横切るように配置されているが、走査配線１１の位置はこれに限定されるものではない。ただし、対向基板１１０上に柱状スペーサ４２が形成されている場合、柱状スペーサ４２近傍での光漏れを防止するために、対向基板１１０側に水平方向に延びる帯状のブラックマトリクス（遮光層）を設けて柱状スペーサ４２の周囲３μｍ〜５μｍの領域を遮光することが好ましい。そのため、図３１に示すように、走査配線１１を、画素の中心付近を横切るように配置し、対向基板１１０側のブラックマトリクスに重ねることにより、高開口率を実現することができる。
【０１４９】
図３２および図３３に、ＶＡモードを採用した場合の画素構造のさらに他の例を示す。図３２および図３３に示す例では、アクティブマトリクス基板１００上に、複数の柱状スペーサ４１が形成されている。各柱状スペーサ４１は、走査配線１１と信号配線１２との交差部に配置されている。つまり、各画素の４隅に、都合４つの柱状スペーサ４１が配置されている。また、対向基板１１０の対向電極には、各画素の中心に対応する領域に開口部４３が形成されている。
【０１５０】
さらに、図３２および図３３に示す例では、画素電極として機能する上層電極１９は、複数のスリット１９ｓを有する。図３２に示す例では、複数のスリット１９ｓは、水平方向および垂直方向に対して４５°の角をなす方向に略平行に延びている。また、図３３に示す例では、複数のスリット１９ｓは、垂直方向に略平行に延びている。これらのスリット１９ｓは、電圧印加時に、スリット１９ｓの延設方向に対して略平行に液晶分子を倒すような配向規制力を発現させる。
【０１５１】
図３２および図３３に示す例では、液晶層１２０に電圧が印加されると、柱状スペーサ４１の配向規制力と、対向電極の開口部４３の配向規制力と、上層電極（画素電極）１９の複数のスリット１９ｓの配向規制力とによって、配向規制が行われる。図３２および図３３に示す例では、図３０に示す例と比較すると、上層電極１９の複数のスリット１９ｓによる配向規制力が付加される分、配向状態をより安定化させることができ、また、応答速度を向上させることができる。また、図３２および図３３に示す例では、上層電極１９の、スリット１９ｓが形成されている領域（画素の上側に位置する部分および下側に位置する部分）と、スリット１９ｓが形成されていない領域（画素の中央に位置する部分）とで、液晶層１２０への実効的な印加電圧が異なる。そのため、１つの画素内に、複数の異なるγ特性（表示輝度の階調依存性）を混在させ、それらを合成して表示を行うことができるので、γ特性の視角依存性を低減することができる。γ特性の視角依存性とは、正面方向から観測したときのγ特性と斜め方向から観測したときのγ特性とが異なるという問題点であり、中間調表示を斜め方向から観察したときの色変化（「白浮き」や「カラーシフト」と呼ばれる。）として視認される。
【０１５２】
図３４および図３５に、ＦＦＳモードを採用した場合の画素構造の例を示す。図３４および図３５に示す例では、画素電極として機能する上層電極１９は、複数のスリット１９ｓを有する。複数のスリット１９ｓは、垂直方向に略平行に延びている。また、下層電極１７は、共通電極として機能する。
【０１５３】
図３４および図３５に示す例では、上層電極１９と下層電極１７との間に電位差が与えられると、横電界（斜め電界）が生成され、横電界によって液晶分子の配向状態が制御される。液晶層１２０に横電界が印加される表示モードでは、液晶分子の配向方向が表示面内（液晶層１２０の層面内）で変化するので、良好な視角特性が得られる。
【０１５４】
なお、図３４に示す例では、アクティブマトリクス基板１００上に複数の柱状スペーサ４１が形成されているのに対し、図３５に示す例では、対向基板１１０上に複数の柱状スペーサ４２が形成されている。
【産業上の利用可能性】
【０１５５】
本発明の実施形態によると、２層電極構造を有しているにもかかわらず従来よりも高い精細度で製造し得るアクティブマトリクス基板を提供することができる。
【符号の説明】
【０１５６】
１０    基板
１１    走査配線
１２    信号配線
１３    ベースコート層
１４    ゲート絶縁層
１５    第２層間絶縁層
１６    第１層間絶縁層
１６ａ    第１開口部（第１層間絶縁層の開口部）
１７    下層電極
１８    誘電体層
１８ａ    第２開口部（誘電体層の開口部）
１８ａ１    第２開口部の第１の部分
１８ａ２    第２開口部の第２の部分
１９    上層電極（画素電極）
１９ｓ    スリット
２０    薄膜トランジスタ（ＴＦＴ）
２１    半導体層
２２    ゲート電極
２３    ソース電極
２４    ドレイン電極
３１    第１コンタクトホール
３２    第２コンタクトホール
３３    第３コンタクトホール
４１、４２    柱状スペーサ
４３    対向電極の開口部
１００、１００Ａ、１００Ｂ    アクティブマトリクス基板
１００Ｃ、１００Ｄ、１００Ｅ    アクティブマトリクス基板
【図１】
2014002834.tif 000003
【図２】
2014002834.tif 000004
【図３】
2014002834.tif 000005
【図４】
2014002834.tif 000006
【図５】
2014002834.tif 000007
【図６】
2014002834.tif 000008
【図７】
2014002834.tif 000009
【図８】
2014002834.tif 000010
【図９】
2014002834.tif 000011
【図１０】
2014002834.tif 000012
【図１１】
2014002834.tif 000013
【図１２】
2014002834.tif 000014
【図１３】
2014002834.tif 000015
【図１４】
2014002834.tif 000016
【図１５】
2014002834.tif 000017
【図１６】
2014002834.tif 000018
【図１７】
2014002834.tif 000019
【図１８】
2014002834.tif 000020
【図１９】
2014002834.tif 000021
【図２０】
2014002834.tif 000022
【図２１】
2014002834.tif 000023
【図２２】
2014002834.tif 000024
【図２３】
2014002834.tif 000025
【図２４】
2014002834.tif 000026
【図２５】
2014002834.tif 000027
【図２６】
2014002834.tif 000028
【図２７】
2014002834.tif 000029
【図２８】
2014002834.tif 000030
【図２９】
2014002834.tif 000031
【図３０】
2014002834.tif 000032
【図３１】
2014002834.tif 000033
【図３２】
2014002834.tif 000034
【図３３】
2014002834.tif 000035
【図３４】
2014002834.tif 000036
【図３５】
2014002834.tif 000037
【国際調査報告】
2014002834.tif 000038
2014002834.tif 000039